(57)【特許請求の範囲】
【請求項１】
鉄骨造りの建物の鉄筋コンクリートの床スラブ構造において、
室内側から大梁まで施工されるデッキプレート床と、
前記大梁からバルコニー又は廊下としての跳ね出し部分の先端まで構成される片持ちスラブ床と、
前記室内側と大梁間に位置する小梁から前記跳ね出し部分の先端に向けて配筋される鉄筋と、からなり、
前記デッキプレート床から前記跳ね出し部分にかけてコンクリートを打設して前記片持ちスラブ床と前記デッキプレート床を一体化することにより鉄筋コンクリート造りの片持ちスラブ床を前記跳ね出し部分の床として構成することを特徴とする鉄筋コンクリートの床スラブ構造。
【請求項２】
前記片持ちスラブ床の鉄筋端部を前記小梁に点付け溶接又は下向きアンカーとすることを特徴とする請求項１に記載の鉄筋コンクリートの床スラブ構造。
【請求項３】
型枠立て込み工程、コンクリート打設工程、養生工程、脱型工程を経て前記デッキプレート床を形成した後に前記鉄筋コンクリート片持ちスラブ床を一体に合成して前記跳ね出し部分の床を構成することを特徴とする請求項１または２に記載の鉄筋コンクリートの床スラブ構造。
【発明の詳細な説明】
【技術分野】
【０００１】
本発明は、鉄骨造りのバルコニー又は共用廊下などの跳ね出し部分の片持ち床スラブ構造（キャンティスラブ）を鉄筋コンクリート（ＲＣ：Reinforced−Concrete）造りの片持ちスラブ構造を用いて施工するに際して、将来的な漏水の防止、施工作業の効率化、建物外観意匠の向上を図ることが可能な構成の実現を目的とする。
【背景技術】
【０００２】
鉄骨造住宅の床には、さまざまな造り方がある。特に地面上に設置する１階と、梁の上に面を作る２階以上では、造り方が異なってくる。また、重視する性能や事項によって造り方を選定する必要がある。
【０００３】
鉄骨造の１階床は、土間コンクリートを打設した上に、木造のような床組を行なったり、コンクリート造のように床コンクリートを地面より高い位置に打設した上で直張り仕上を行う。また、２階床の場合は、デッキプレートと呼ばれるリブ付の薄い鉄板（リブ高さ５０ｍｍから７５ｍｍ程度、１．２ｍｍ厚又は１．６ｍｍ厚）を使用したり、ＡＬＣ版（外壁材として使用されるAutoclaved Light-weight Concreteの略）を床下地とする場合が多い。
【０００４】
デッキプレートを使用する場合は、図７と図８に示す２種類が主流である。
図７に示すものは、鉄骨梁の上に乗せられたデッキプレート５１の上に、直接木の根太５２を置いて床下地とし根太５２の上に床５３を張るものである。工事期間が短く、床の重量が軽くなるという長所があるが、床の音が響きやすいという欠点がある。
また、図８に示すものは、鉄骨梁の上に乗せられたデッキプレート５１の上にコンクリート（薄い部分で５０ｍｍ程度）５４を流し込み、ＲＣ（鉄筋コンクリート）の床と同じ状態を作って床下地とする。このとき、デッキプレート５１上に、ワイヤーメッシュ５５と呼ばれる細い鉄筋を網の目状に溶接したものを入れ、コンクリート５４の補強とする。この方法は、床の音が比較的響きにくく、平らな面が造りやすいという長所があるが、一方、それだけ手間が掛かり床の重量が重くなるという欠点がある。
【０００５】
このように、鉄骨造住宅の床として、鉄骨梁の上にＡＬＣ版やデッキプレート５１とコンクリート５４で平らな床構造を作ったら、その上に床仕上を行う。鉄骨造でも、平らな床構造を作りあげたら、後は、コンクリート上の床仕上と同様の仕上を行う。例えば、ならしモルタルで正確に平らな面を作って直接床仕上を行なう直張り仕上や、木製の大引や根太で床下地を作る木組床下地に仕上を行って、床を完成する。
【０００６】
鉄骨梁の上にＡＬＣ版やデッキプレートを用いて平らな床構造を作ったのち、さらに、バルコニーや共用廊下などの跳ね出し部を施工することがある。
このような場合に、プレキャスト版を用いて工種を削減し、工期を短縮し、施工を短縮した例が報告されている（特許文献１参照）。
【先行技術文献】
【特許文献】
【０００７】
【特許文献１】特開平１１−３３６２３５号公報
【発明の概要】
【発明が解決しようとする課題】
【０００８】
本発明は、鉄骨造りのバルコニーあるいは廊下などを構成する片持ち床スラブ（キャンティスラブ）の跳ね出し部分の施工において、特に、建物外観意匠の向上、施工作業の効率化、将来的な漏水防止を図ることが可能な鉄筋コンクリート造りの床スラブ構造を提供することを課題としている。
【課題を解決するための手段】
【０００９】
以上の課題を解決するため、本発明では、鉄骨造りの建物の鉄筋コンクリートの床スラブ構造において、室内側から大梁まで施工されるデッキプレート床と、前記大梁からバルコニー又は廊下としての跳ね出し部分の先端まで構成される片持ちスラブ床と、前記室内側と大梁間に位置する小梁から前記跳ね出し部分の先端に向けて配筋される鉄筋と、からなり、前記デッキプレート床から前記跳ね出し部分にかけてコンクリートを打設して前記片持ちスラブ床と前記デッキプレート床を一体化することにより鉄筋コンクリート造りの片持ちスラブ床を前記跳ね出し部分の床として構成することを特徴とする。
【００１０】
ここで、前記片持ちスラブ床の鉄筋の室内側端部を前記小梁に点付け溶接又は下向きアンカーとすることを特徴とする。
【００１２】
さらに、型枠立て込み工程、コンクリート打設工程、養生工程、脱型工程を経て形成された前記デッキプレート床に前記片持ちスラブ床を一体に合成して前記跳ね出し部分の床を構成することを特徴とする。
【発明の効果】
【００１３】
本発明は、以上に述べたように構成されているので、鉄骨造りのバルコニーあるいは廊下などを構成する片持ち床スラブ（キャンティスラブ）の跳ね出し部分の施工において、施工作業を効率化でき、天井部分が高くなって採光がよくなるなどの建物外観意匠の向上を図ることができ、また、将来的な漏水防止を図ることが可能な鉄筋コンクリート床スラブ構造を実現することができる。
【図面の簡単な説明】
【００１４】
【図１】本発明の鉄筋コンクリート床スラブ構造の一実施形態の断面図である。
【図２】本実施形態の鉄筋コンクリート床スラブ構造のバルコニー部分の納まり形態の詳細を示す断面図である。
【図３】本実施の形態の鉄筋コンクリート床スラブ構造のバルコニー部分の配筋の状況を示す詳細図である。
【図４】本実施の形態のデッキプレート床部分のデッキプレートに対する配筋の納まり具合を示す説明図である。
【図５】本実施の形態の鉄筋コンクリート床スラブ構造のバルコニー部分の大梁から片持ちスラブへの配筋の実写図である。
【図６】本実施の形態の小梁の上の部分での配筋の実写図である。
【図７】デッキプレートを用いた鉄骨造り住宅の床構造の一例を示す断面図である。
【図８】デッキプレートを用いた鉄骨造り住宅の床構造の他の例を示す断面図である。
【図９】従来の一般的な鉄骨造りのバルコニーの納まり形態を示す断面図である。
【図１０】特許文献１に示された鉄骨造りのバルコニーの断面図である。
【発明を実施するための最良の形態】
【００１５】
ここで、本発明の一実施の形態と従来の例とを図に沿って比較して説明する。
図９に従来の一般的な鉄骨造りのバルコニーの納まり形態を示す断面図である。
図９において符号６１はＡＬＣパネルで形成されたバルコニー壁面、符号６２はデッキプレート又はＡＬＣ床パネルで形成されたバルコニー床面、符号６３は水切金物、符号６４はバルコニー部分の天井ボード、符号６５は鉄骨梁、符号６６はバルコニー壁面６１を支持するための支持金具、符号６７は壁パネル、符号６８は大梁、符号６９はデッキプレート又はＡＬＣ床パネルで形成された室内床面、符号７０は床鉄骨である。
【００１６】
図９に示すように、従来の鉄骨造りのバルコニーは、ＡＬＣパネルで形成されたバルコニー壁面６１とデッキプレート又はＡＬＣ床パネルで形成されたバルコニー床面６２とを鉄骨梁６５で受ける構成であり、バルコニー部分の天井ボード６４やバルコニー壁面６１の下に設けられた水切金物６３、バルコニー壁面６１を支持するための支持金具６６などが必要で構成が複雑であり、さらにバルコニーがバルコニー壁面６１で仕切られているため、間口が狭くて開放感が少なく、採光も充分とはいえない。
【００１７】
図１０は特許文献１に示された鉄骨造りのバルコニーの断面図である。
図１０において符号７１は大梁、符号７２は外壁、符号７３はバルコニー部、符号７４はプレキャストコンクリート板、符号７５は跳ね出し部の床、符号７６はデッキプレート、符号７７は小梁、符号７８は屋内の床、符号７９はコンクリート部である。
この例では、跳ね出し部の床７５をプレキャストコンクリート板７４で形成し、屋内の床７８とは小梁７７上で接する構成を採っている。したがって、跳ね出し部の床７５と屋内の床７８とは接してはいるものの一体になっているわけではなく、跳ね出し部の床７５と屋内の床７８との間で、鉄筋やデッキプレートが連続して通っているわけではない。したがって跳ね出し部の床７５の強度が必ずしも充分とはいえない。
【００１８】
図１は、本発明の鉄骨造りの床構造の一実施の形態の断面図である。
図１において、符号１１は大梁、符号１２は天井、符号１３は小梁、符号１４はデッキプレート床、符号１５は屋内の床、符号１６は巾木、符号１７は壁、符号１９はサッシュ、符号２０はコンクリート部、符号２１は片持ちスラブ鉄筋、符号２２は片持ちスラブ、符号２３は天端、符号２４はバルコニー部、符号２５は手摺、符号２６は水切目地、符号２７は外壁、符号２８は軒天である。
【００１９】
デッキプレート床１４は、大梁１１、小梁１３などの鉄骨梁の上に載せられたデッキプレートの上に、ワイヤメッシュと呼ばれる細い鉄筋を網の目状に溶接したものをコンクリートの補強としていれ、コンクリートを流し込んで鉄筋コンクリート床と同じ状態を作って床下地とする。このデッキプレート床１４は、室内側から大梁１１まで施工する。
【００２０】
また、小梁１３から跳ね出し部分のバルコニー部２４先端に向けて鉄筋コンクリート造りの片持ちスラブ床の要領で片持ちスラブ鉄筋２１を配筋する。この片持ちスラブ鉄筋２１の室内側端部は小梁１３に点付け溶接又は下向きアンカーとする。
さらに、大梁１１からバルコニー部２４先端までを片持ちスラブ２２として構成する。
【００２１】
このように室内側のデッキプレート床１４と跳ね出し部分の片持ちスラブ２２を構成した後、デッキプレート床１４からバルコニー部２４先端に向けて、型枠建て込み、コンクリート打設、養生、養生後脱型を行うようにすると、デッキプレート床１４から鉄筋コンクリート片持ちスラブ２２までが一体化され、跳ね出し部分を構成する片持ちスラブ２２の部分が、建物のバルコニー又は外周の廊下として機能する構成を実現することができる。
【００２２】
図２は、本実施の形態の鉄骨造りのバルコニー部分の納まり形態の詳細を示す断面図である。
図２において、符号１１は大梁、符号１４はデッキプレート床、符号１７は壁、符号１８はサッシュ廻り断熱材、符号１９はサッシュ、符号２２は片持ちスラブ、符号２３は天端、符号２４はバルコニー部、符号２５は手摺、符号２６は水切目地、符号２７は外壁、符号２８は軒天、図１と共通の部分には同一の符号を付してある。
【００２３】
このような構成であるので、バルコニー又は外周の廊下としての跳ね出し部分が片持ち床スラブ２２として造られ、図９の従来例と比較して、防水の納まりがよく、跳ね出し部分に鉄骨梁６５やＡＬＣパネルで形成されたバルコニー壁面６１などがなく、バルコニーや外周の廊下部分が開放されてすっきりし、採光に優れたものになる。また、水切金物６３や天井ボード６４を取り付ける作業などが不要になるので、その分、作業性に優れて短期間で建設できるなどの利点がある。
【００２４】
図３は、本実施の形態の鉄骨造り建物のバルコニー部分の配筋の状況を示す詳細図である。
図３（ａ）は小梁１３からバルコニー部分の先端にかけての配筋の断面図であり、図３（ｂ）は、その部分の配筋の平面図である。図面上では鉄筋の径をＤ１０（１０ｍｍ）またはＤ１３（１３ｍｍ）で示した。また図３（ｂ）には３本のＤ１０の補強筋の位置も示してある。
【００２５】
図３に示すように鉄筋は室内側から片持ちスラブ２２にむけて格子状に配筋されており、さらに配筋の室内側は小梁１３に溶接又は下向きアンカーにしているので、バルコニー部分の片持ちスラブ２２の強度を充分に保つように構成されている。
【００２６】
また、図４には、デッキプレート床１４部分でのデッキプレート１４１に対する配筋の収まり具合が示されている。このようにデッキプレート床１４部分では配筋がデッキプレート１４１内に納まっているので、デッキプレート床１４の強度が保てるとともに、デッキプレート床１４のずれや歪を抑えることができる。
【００２７】
図５は、本発明の鉄筋コンクリートバルコニー部分の大梁１１から片持ちスラブ２２部分の配筋の実写図である。図の右側から色が変わっている大梁１１の上の部分までデッキプレート１４１が配設されていて、大梁１１の上からバルコニーの片持ちスラブ２２が形成されている構造が示されている。
このような構造であるので、大梁１１が片持ちスラブ２２の一辺を安定に支持することができる。
【００２８】
図６は、本発明の小梁１３の上の部分の配筋の実写図である。
この図で２本の点線の間のデッキプレート床１４の下に小梁１３が設けられていて、バルコニー部分から延長されてきた鉄筋が、デッキプレート床１４の谷の部分からデッキプレート床１４を貫通して下の小梁１３に点付けで溶接又は下向きアンカーとしている。
【００２９】
図５、図６に示したような配筋部分に、最後に、型枠建て込み、コンクリート打設、養生、養生後脱型を行うことで、デッキプレート床１４から鉄筋コンクリート片持ちスラブ２２までが一体化されて強固に支持され、跳ね出し部分を構成する片持ちスラブ２２の部分が、建物のバルコニー又は外周の廊下として機能する構成を実現することができる。
【００３０】
本実施の形態のＲＣ床スラブ構造は、以上に述べたように構成されているので、バルコニーあるいは廊下などの跳ね出し部分を含む鉄骨造りの建築において、片持ち床スラブ（キャンティスラブ）を用いて施工作業を効率化できるとともに、跳ね出し部分が広く開放され、天井部分が高くなって採光がよくなるなどの建物外観意匠の向上を図ることができ、さらに、将来的な漏水防止が可能な鉄筋コンクリート床スラブ構造を実現することができる。
【産業上の利用の可能性】
【００３１】
以上に述べたように、本発明のＲＣ床スラブ構造によれは、鉄骨造りのバルコニーあるいは外回り廊下などの跳ね出し部分を、廉価な施工で、明るく快適にして、建物の外観をすっきりと美しくすることができる。
【符号の説明】
【００３２】
１１    大梁
１２    天井
１３    小梁
１４    デッキプレート床
１５    屋内の床
１６    巾木
１７    壁
１９    サッシュ
２０    コンクリート部
２１    片持ちスラブ鉄筋
２２    片持ちスラブ
２３    天端
２４    バルコニー部
２５    手摺
２６    水切目地
２７    外壁
２８    軒天
１１１  支持金具
【図１】
0005643787.tif 000002
【図２】
0005643787.tif 000003
【図３】
0005643787.tif 000004
【図４】
0005643787.tif 000005
【図５】
0005643787.tif 000006
【図６】
0005643787.tif 000007
【図７】
0005643787.tif 000008
【図８】
0005643787.tif 000009
【図９】
0005643787.tif 000010
【図１０】
0005643787.tif 000011